(57)【要約】【課題】ハウジングの反りや捩れに対して、リード部のハンダ接合強度に影響しない構造を有する表面実装用コネクタを提供する。【解決手段】表面実装用コネクタ１ｃは、略直方体状のハウジング１０と、ハウジング１０に並設配置される板状のコンタクト１１を備え、プリント基板９の表面に実装される。コンタクト１１は、互いに相反する向きに延びるリード部１１ａ及びリード部１１ａを備える。リード部１１ａは、プリント基板９の表面にハンダ接合される板厚面１ａを有する。保持アーム１１ｂは、板厚面１ａと略平行に延びて凹部１４の反対側からハウジング１０に挿入される先端部を有する。ハウジング１０は、プリント基板９の表面に対して揺動可能に保持アーム１１ｂの先端部と連結している。【選択図】図１
2007095479.tif 000002
【特許請求の範囲】
【請求項１】
略直方体状のハウジングと、このハウジングに並設配置される板状のコンタクトと、を備え、プリント基板の表面に実装されるための表面実装用コネクタであって、
前記コンタクトは、互いに相反する向きに延びるリード部及び保持アームを備え、
前記リード部は、前記プリント基板の表面にハンダ接合される板厚面を有し、
前記保持アームは、前記板厚面と略平行に延びて前記ハウジングに挿入される先端部を有し、
前記ハウジングは、前記プリント基板の表面に対して揺動可能に前記保持アームの先端部と連結している表面実装用コネクタ。
【請求項２】
前記ハウジングは、前記保持アームが挿入される穴を有し、この穴の途中に互いに向かい合う一対の突起を備え、
前記保持アームの先端部は、相反する向きに形成される一対の窪みを備え、
前記一対の突起は前記一対の窪みと揺動可能に連結している請求項１記載の表面実装用コネクタ。
【請求項３】
基端側が前記保持アームの基端側と連結し、先端側が前記保持アームと略平行に延出する接触アームを備え、
前記接触アームは、前記保持アームの先端部近傍の位置に相手側接続体と接触する接点を有している請求項１又は２記載の表面実装用コネクタ。
【請求項４】
ＦＰＣが挿入される凹部が形成された略直方体状のハウジングと、前記ハウジングの凹部を開閉可能に覆う略矩形板状のカバーハウジングと、前記ハウジングに並設配置される板状の第１コンタクトと、を備え、プリント基板の表面に実装されるための表面実装用コネクタであって、
前記第１コンタクトは、互いに相反する向きに延びる第１リード部及び第１保持アームと、この第１保持アームと同じ方向に延びる第１接触アーム及び支持アームと、を備え、
前記第１リード部は、前記プリント基板の表面にハンダ接合される板厚面を有し、
前記第１保持アームは、前記板厚面と略平行に延びて前記凹部の反対側から前記ハウジングに挿入される先端部を有し、
前記第１接触アームは、前記ハウジングの凹部の底面から突出して、前記第１保持アームの先端部近傍の位置に前記ＦＰＣと接触する接点を有し、
前記支持アームは、前記カバーハウジングの回動軸を支持する押さえ部を先端側に有し、
前記ハウジングは、前記プリント基板の表面に対して揺動可能に前記第１保持アームの先端部と連結している表面実装用コネクタ。
【請求項５】
ＦＰＣが挿入される凹部が形成された略直方体状のハウジングと、前記ハウジングの凹部を開閉可能に覆う略矩形板状のカバーハウジングと、前記ハウジングに並設配置される板状の第２コンタクトと、を備え、プリント基板の表面に実装されるための表面実装用コネクタであって、
前記第２コンタクトは、互いに相反する向きに延びる第２リード部及び第２保持アームと、この第２保持アームと同じ方向に延びる第２接触アームと、この第２接触アームの先端から反転して第２リード部と同じ方向に延びる反転アームと、を備え、
前記第２リード部は、前記プリント基板の表面にハンダ接合される板厚面を有し、
前記第２保持アームは、前記板厚面と略平行に延びて前記凹部の開口側から前記ハウジングに挿入される先端部を有し、
前記第２接触アームは、前記ハウジングの凹部の底面から突出して、前記第２保持アームの先端部近傍の位置に前記ＦＰＣと接触する接点を有し、
前記反転アームは、前記カバーハウジングの回動軸を支持する押さえ部を先端側に有し、
前記ハウジングは、前記プリント基板の表面に対して揺動可能に前記第２保持アームの先端部と連結している表面実装用コネクタ。
【請求項６】
対向する一対の第１側壁及びこの一対の第１側壁と直交する第２側壁とで三方が囲まれる凹部を有する略直方体状のハウジングと、この凹部の第２側壁側に前記一対の第１側壁と略平行に配列される複数のブレードコンタクトと、を備え、プリント基板の表面に実装されるための表面実装用コネクタであって、
前記ブレードコンタクトは、互いに相反する向きに延びる第３リード部及び第３保持アームと、この第３保持アームと同じ方向に延びる略長方形板のコンタクト接続部と、を備え、
前記第３リード部は、前記プリント基板の表面にハンダ接合される板厚面を有し、
前記第３保持アームは、前記板厚面と略平行に延びて前記第２側壁側から前記ハウジングに挿入される先端部を有し、
前記コンタクト接続部は、長手方向に前記凹部の底面に当接する板厚面を有し、
前記ハウジングは、前記プリント基板の表面に対して揺動可能に前記第３保持アームの先端部と連結している表面実装用コネクタ。
【発明の詳細な説明】
【技術分野】
【０００１】
本発明は、プリント基板の表面に実装する表面実装用コネクタに関する。特に、リードの板厚面がプリント基板のパッドにハンダ接合される複数の板状コンタクトを備える表面実装用コネクタの構造に関する。
【背景技術】
【０００２】
例えば、前述のような複数の板状コンタクトを備える表面実装用コネクタには、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルと接続する、いわゆるＦＰＣ用コネクタがある。前記のＦＰＣ用コネクタとして、回動タイプのカバーハウジングによりコンタクト群の接触脚とスタビライザ脚の間隔を広げるＺＩＦ（Ｚｅｒｏ  Ｉｎｓｅｒｔｉｏｎ  Ｆｏｒｃｅ）タイプのＦＰＣ用コネクタであって、カバーハウジングの変形を防止または抑制できるＦＰＣ用コネクタが発明されている（例えば、特許文献１参照）。
【０００３】
又、前述のような複数の板状コンタクトを備える表面実装用コネクタには、プリント基板の表面にハンダ接合される複数のブレードコンタクトを備えるベースコネクタと、このベースコネクタに対してプリント基板と直交する方向に挿抜されるソケットコネクタとを含む、いわゆるトップタイプのコネクタがある。前記のトップタイプのコネクタとして、リード線を引っ張ると、この引っ張り力が、ベースコネクタのカム面とソケットコネクタのカム面の働きにより、ソケットコネクタを抜脱方向に沿う力に変換され、ソケットコネクタをスムーズに取り外せるコネクタが発明されている（例えば、特許文献２参照）。
【特許文献１】特開２００２−３２９５３６号公報
【特許文献２】特開２００２−３３１５０号公報
【発明の開示】
【発明が解決しようとする課題】
【０００４】
図５は、特許文献１と同様の構造を有するＦＰＣ用コネクタの縦断面図であって、図５（Ａ）は、第１コンタクト近傍での縦断面図、図５（Ｂ）は、第２コンタクト近傍での縦断面図である。
【０００５】
図５において、ＦＰＣ用コネクタ５ｃｎは、ＦＰＣ（図示せず）が挿入される凹部５４が形成された略直方体状のハウジング５０と、ハウジング５０の凹部５４を開閉可能に覆う略矩形板状のカバーハウジング５３と、を備えている。ハウジング５０は、交互に並設配置される複数の第１コンタクト５１及び第２コンタクト５２を内部に備えている。
【０００６】
図５（Ａ）において、第１コンタクト５１は、先端側が互いに向かい合って延びる第１アーム５１ａ及び第２アーム５１ｂと、第１アーム５１ａ及び第２アーム５１ｂの基端側同士を連結する水平脚５１ｃと、を有している。第１コンタクト５１は、凹部５４の反対側からハウジング５０に圧入されている。第１アーム５１ａの先端部には、凹部５４の底面から突出してＦＰＣと弾性接触する第１接点５１ｓが設けられている。第２アーム５１ｂの先端部は、カバーハウジング５３のカム軸５３ｃを付勢している。
【０００７】
図５（Ｂ）において、第２コンタクト５２は、先端が互いに向かい合って延びる第１アーム５２ａ及び第２アーム５２ｂと、第１アーム５２ａ及び第２アーム５２ｂの基端同士を連結する水平脚５２ｃと、を有している。第２コンタクト５２は、凹部５４の開口側からハウジング５０に圧入されている。第１アーム５２ａの中間部には、凹部５４の底面から突出してＦＰＣと弾性接触する第２接点５２ｓが設けられている。第２アーム５２ｂの先端部は、カバーハウジング５３の開閉軸５３ｓを付勢している。なお、図５に図示されていないが、開閉軸５３ｓを支持する複数の第３コンタクトをハウジング５０の内部に備えている。
【０００８】
図５において、第１コンタクト５１の水平脚５１ｃの先端側に形成されるリード部５１ｄの板厚面が、プリント基板９上のランドにハンダ接合されている。又、第２コンタクト５２の第１アーム５２ａの先端側に形成されるリード部５２ｄの板厚面が、プリント基板９上のランドにハンダ接合されている。
【０００９】
図６は、特許文献２と同様の構造を有するブレードコンタクトを備えるベースコネクタの縦断面図である。図６において、ベースコネクタ６ｃｎは、略直方体状に形成されるハウジング６０を備えている。ハウジング６０は、対向する一対の第１側壁６０ａ・６０ｂと、一対の第１側壁６０ａ・６０ｂと直交する第２側壁６０ｃとで三方が囲まれる凹部６１を有している。ベースコネクタ６ｃｎは、凹部６１の第２側壁６０ｃ側に一対の第１側壁６０ａ・６０ｂと略平行に配列される複数のブレードコンタクト６２を備えている。
【００１０】
図６において、ブレードコンタクト６２は、相手側コンタクト（図示せず）と接続されるための略長方形板のコンタクト接続部６３を備えている。又、ブレードコンタクト６２は、コンタクト接続部６３の基端側に設けられ、第２側壁６０ｃ内部に挿嵌される固定部６４を備えている。固定部６４は、第２側壁６０ｃ内部に圧入される圧入部６４ａと、圧入部６４ａに対向し、かつ第２側壁６０ｃ内部に挿入される固定アーム６４ｂと、圧入部６４ａと固定アーム６４ｂの基端同士を連結する連結脚６４ｃと、を備えている。
【００１１】
図６において、コンタクト接続部６２ａにおける長手方向の一方の板厚面は、凹部６１の底面に当接している。コンタクト接続部６２ａにおける長手方向の他方の板厚面は、面取りが施されており、例えば二股コンタクトからなる相手側コンタクト（図示せず）の挿入を容易としている。固定部６４は、プリント基板９上のランドにハンダ接合されるリード部６４ｄを、コンタクト接続部６３と相反する方向に延出している。
【００１２】
図７は、図５の右側面図であり、図５に示されたＦＰＣ用コネクタ５ｃｎをリード部５１ｄ側から観た図である。図７に示されるように、複数の板状のコンタクト５１・５２（図５参照）がハウジング５０に圧入されるコネクタは、ハウジング５０の長手方向に僅かに湾曲する場合がある。図７（Ａ）は、ハウジング５０の両翼が上向きに反り、湾曲した例を示し、図７（Ｂ）は、ハウジング５０の両翼が下向きに反り、湾曲した例を示している。これらの例示の他に、ハウジング５０の片翼が反り、部分的に湾曲する場合もあり得る。又、反りの他に捩れが発生することもある。
【００１３】
このようにハウジングに反りや捩れが発生する要因は、一つには、ハウジングを成型加工した時の残留応力が考えられる。一般に、ハウジングはプラスチックモールド品であり、部位毎の熱歪にバラツキを生じると考えられる。ハウジングに反りや捩れが発生する他の要因としては、複数の板状コンタクトをハウジングに圧入したときの歪が考えられる。例えば、複数の板状コンタクトは、板厚にバラツキがあり、一方、板状コンタクトが圧入される溝側にもバラツキがあって、これらのバラツキが累積して、前記のようなハウジングの湾曲が発生することも考えられる。
【００１４】
前記のような反りや捩れが生じたＦＰＣ用コネクタ５ｃｎは、複数のリード部５１ｄのハンダ接合面が平坦でなく、長期に亘るハンダ接合強度に信頼性を与えないものと成り得る。実態としては、複数のリード部５１ｄにおけるハンダ接合面の高低差は、最大でも０．１ｍｍ程度であり、プリント基板上のランドのハンダ膜を厚くすることにより、反りや捩れに起因するバラツキを吸収することも考えられる。しかし、近年では、プリント基板上のハンダ膜は薄くなる傾向となっており、複数のリード部のハンダ接合面が平坦でないＦＰＣ用コネクタ５ｃｎに対して、リード部５１ｄのハンダ接合強度に影響しない対策が求められている。
【００１５】
図６に示されたベースコネクタ６ｃｎも前記と同じ課題を内包している。複数のリード部６４ｄのハンダ接合面が平坦でなく、湾曲するようにバラツキのあるベースコネクタ６ｃｎに対して、リード部６４ｄのハンダ接合強度に影響しない対策が求められている。
【００１６】
このように、長尺のハウジングを有し、多数の板状コンタクトが圧入される表面実装用コネクタは、ハウジングの反りや捩れに起因するリード部のハンダ接合面における不整列が、プリント基板上での実装不良を招きかねない。このような課題に対して、従来は、ハウジングの成型形状や成型樹脂のグレード及び成型条件を吟味することにより、対処してきた。しかし、これらの対策は、製品性能の一部を犠牲にすることもあり、試行錯誤の要素が強い側面もあった。リード部のハンダ接合強度に影響しない構造を有する表面実装用コネクタが求められる。そして、このことが本発明の課題といってよい。
【００１７】
本発明は、このような問題に鑑み、ハウジングの反りや捩れに対して、リード部のハンダ接合強度に影響しない構造を有する表面実装用コネクタを提供することを目的とする。
【課題を解決するための手段】
【００１８】
本発明者は、ハンダ接合されるリード部に対向するアームの先端部がハウジングに揺動自在に保持される構造とし、以下のような新たな表面実装用コネクタを発明した。
【００１９】
（１）  略直方体状のハウジングと、このハウジングに並設配置される板状のコンタクトと、を備え、プリント基板の表面に実装されるための表面実装用コネクタであって、前記コンタクトは、互いに相反する向きに延びるリード部及び保持アームを備え、前記リード部は、前記プリント基板の表面にハンダ接合される板厚面を有し、前記保持アームは、前記板厚面と略平行に延びて前記ハウジングに挿入される先端部を有し、前記ハウジングは、前記プリント基板の表面に対して揺動可能に前記保持アームの先端部と連結している表面実装用コネクタ。
【００２０】
（１）の発明による表面実装用コネクタは、略直方体状のハウジングと、ハウジングに並設配置される板状のコンタクトと、を備えている。そして、プリント基板の表面に実装される。コンタクトは、互いに相反する向きに延びるリード部と保持アームを備えている。リード部は、プリント基板の表面にハンダ接合される板厚面を有している。保持アームは、板厚面と略平行に延びてハウジングに挿入される先端部を有している。ハウジングは、プリント基板の表面に対して揺動可能に保持アームの先端部と連結している。
【００２１】
ここで、ハウジングは絶縁性を有している。絶縁性のハウジングは、非導電性の材料からなるハウジングのことであってよく、エンジニアリングプラスチックを成型して、略直方体状の絶縁性のハウジングを得ることができる。コンタクトは導電性を有しており、導電性の金属板を精密打ち抜き加工して、導電性の板状のコンタクトを得ることができる。並設配置されるとは、近接させて一列に揃え、並べて配置されることを意味しており、例えば、ＦＰＣの導体パターン（ＦＰＣの端部に露出され導体パターン）の間隔と同じ一定の間隔で、複数のコンタクトがハウジングに配置される。
【００２２】
コンタクトは、後述するＦＰＣに接続するコンタクトであってもよく、ＦＰＣに接触する接触アーム、及びカバーハウジングを回動可能に支持する支持アームが更に設けられてもよい。又、コンタクトは、後述するブレードコンタクトであってもよく、相手側コネクタと接続するコンタクト接続部が更に設けられてもよい。リード部の板厚面は、プリント基板の表面にハンダ接合されるとは、ハウジングの底面から突出するリード部の板厚面がプリント基板の表面に形成されるパッドにハンダ接合されることであってよい。
【００２３】
例えば、ハウジングは保持アームが挿入される穴を有し、この穴の途中に互いに向かい合う一対の突起を備えている。一方、保持アームの先端部は、相反する向きに形成される一対の窪みを備えている。そして、保持アームが前記穴に挿入され、一対の突起が一対の窪みに対向する形でハウジングを揺動可能に連結する。
【００２４】
（１）の発明による表面実装用コネクタは、保持アームの先端部を揺動中心として、ハウジングを揺動可能としているので、ハウジングの反りや捩れによる製作誤差を吸収して、複数のリード部のハンダ接合部が平坦に整列される。そして、リード部のハンダ接合強度に影響を及ぼすことを軽減できる。
【００２５】
（２）  前記ハウジングは、前記保持アームが挿入される穴を有し、この穴の途中に互いに向かい合う一対の突起を備え、前記保持アームの先端部は、相反する向きに形成される一対の窪みを備え、前記一対の突起は前記一対の窪みと揺動可能に連結している（１）記載の表面実装用コネクタ。
【００２６】
例えば、保持アームが挿入される穴は、角穴であってよく、保持アームの板厚より僅かに広い幅を有し、保持アームが、穴の内部で揺動できるように余裕のある高さを有している。一対の突起は、円弧状に形成され、前記穴に挿入されると、保持アームの先端部が一対の突起を押し広げる。保持アームの先端部が一対の突起を越えると、一対の突起が一対の窪みに対向する形で揺動可能に連結する。そして、この保持アームを有するコンタクトは、ハウジングに対して離間困難に連結する。
【００２７】
（３）  基端側が前記保持アームの基端側と連結し、先端側が前記保持アームと略平行に延出する接触アームを備え、前記接触アームは、前記保持アームの先端部近傍の位置に相手側接続体と接触する接点を有している（１）又は（２）記載の表面実装用コネクタ。
【００２８】
例えば、相手側接続体は、ＦＰＣであってよく、ブレードコンタクトに接続する相手側コンタクトであってよい。相手側接続体と接触する接点の位置を、保持アームの先端部近傍とすることにより、ハウジングと保持アームの相対的な揺動に対して、相手側接続体との接触性能の影響を軽減できる。
【００２９】
（４）  ＦＰＣが挿入される凹部が形成された略直方体状のハウジングと、前記ハウジングの凹部を開閉可能に覆う略矩形板状のカバーハウジングと、前記ハウジングに並設配置される板状の第１コンタクトと、を備え、プリント基板の表面に実装されるための表面実装用コネクタであって、前記第１コンタクトは、互いに相反する向きに延びる第１リード部及び第１保持アームと、この第１保持アームと同じ方向に延びる第１接触アーム及び支持アームと、を備え、前記第１リード部は、前記プリント基板の表面にハンダ接合される板厚面を有し、前記第１保持アームは、前記板厚面と略平行に延びて前記凹部の反対側から前記ハウジングに挿入される先端部を有し、前記第１接触アームは、前記ハウジングの凹部の底面から突出して、前記第１保持アームの先端部近傍の位置に前記ＦＰＣと接触する接点を有し、前記支持アームは、前記カバーハウジングの回動軸を支持する押さえ部を先端側に有し、前記ハウジングは、前記プリント基板の表面に対して揺動可能に前記第１保持アームの先端部と連結している表面実装用コネクタ。
【００３０】
（５）  ＦＰＣが挿入される凹部が形成された略直方体状のハウジングと、前記ハウジングの凹部を開閉可能に覆う略矩形板状のカバーハウジングと、前記ハウジングに並設配置される板状の第２コンタクトと、を備え、プリント基板の表面に実装されるための表面実装用コネクタであって、前記第２コンタクトは、互いに相反する向きに延びる第２リード部及び第２保持アームと、この第２保持アームと同じ方向に延びる第２接触アームと、この第２接触アームの先端から反転して第２リード部と同じ方向に延びる反転アームと、を備え、前記第２リード部は、前記プリント基板の表面にハンダ接合される板厚面を有し、前記第２保持アームは、前記板厚面と略平行に延びて前記凹部の開口側から前記ハウジングに挿入される先端部を有し、前記第２接触アームは、前記ハウジングの凹部の底面から突出して、前記第２保持アームの先端部近傍の位置に前記ＦＰＣと接触する接点を有し、前記反転アームは、前記カバーハウジングの回動軸を支持する押さえ部を先端側に有し、前記ハウジングは、前記プリント基板の表面に対して揺動可能に前記第２保持アームの先端部と連結している表面実装用コネクタ。
【００３１】
（６）  対向する一対の第１側壁及びこの一対の第１側壁と直交する第２側壁とで三方が囲まれる凹部を有する略直方体状のハウジングと、この凹部の第２側壁側に前記一対の第１側壁と略平行に配列される複数のブレードコンタクトと、を備え、プリント基板の表面に実装されるための表面実装用コネクタであって、前記ブレードコンタクトは、互いに相反する向きに延びる第３リード部及び第３保持アームと、この第３保持アームと同じ方向に延びる略長方形板のコンタクト接続部と、を備え、前記第３リード部は、前記プリント基板の表面にハンダ接合される板厚面を有し、前記第３保持アームは、前記板厚面と略平行に延びて前記第２側壁側から前記ハウジングに挿入される先端部を有し、前記コンタクト接続部は、長手方向に前記凹部の底面に当接する板厚面を有し、前記ハウジングは、前記プリント基板の表面に対して揺動可能に前記第３保持アームの先端部と連結している表面実装用コネクタ。
【発明の効果】
【００３２】
本発明による表面実装用コネクタは、ハンダ接合されるリード部に対向するアームの先端部がハウジングに揺動自在に保持される構造としたので、ハウジングの反りや捩れによる製作誤差を吸収して、複数のリード部のハンダ接合部が平坦に整列される。そして、リード部のハンダ接合強度に影響を及ぼすことを軽減できる。
【発明を実施するための最良の形態】
【００３３】
以下、図面を参照して本発明を実施するための最良の形態を説明する。
【００３４】
図１は、本発明による表面実装用コネクタ（以下、コネクタと略称する）の第１実施形態を示す縦断面図である。第１実施形態によるコネクタはＦＰＣ用コネクタであって、図１（Ａ）は、第１コンタクト近傍での縦断面図、図１（Ｂ）は、第２コンタクト近傍での縦断面図である。図２は、前記第１実施形態によるコネクタの縦断面による状態変化図である。図２（Ａ）は、第１コンタクト近傍での縦断面による状態変化図、図２（Ｂ）は、第２コンタクト近傍での縦断面による状態変化図である。
【００３５】
図３は、本発明によるコネクタの第２実施形態を示す縦断面図である。第２実施形態によるコネクタはブレードコンタクトを備えるベースコネクタである。図４は、前記第２実施形態によるコネクタの縦断面による状態変化図である。
【００３６】
最初に、第１実施形態によるコネクタの構成を説明する。図１において、コネクタ１ｃｎは、ＦＰＣ（図示せず）が挿入される凹部１４が形成された略直方体状のハウジング１０と、ハウジング１０の凹部１４を開閉可能に覆う略矩形板状のカバーハウジング１３と、を備えている。ハウジング１０は、交互に並設配置される複数の第１コンタクト１１及び第２コンタクト１２を内部に備えている。
【００３７】
図１（Ａ）において、第１コンタクト１１は、互いに相反する向きに延びる第１リード部１１ａと第１保持アーム１１ｂを備えている。又、第１コンタクト１１は、第１保持アーム１１ｂと同じ方向に延びる第１接触アーム１１ｃと支持アーム１１ｄを備えている。第１リード部１１ａは、プリント基板９の表面にハンダ接合される板厚面１ａを有している。第１保持アーム１１ｂは、板厚面１ａと略平行に延びて凹部１４の反対側からハウジング１０に挿入される先端部を有している。第１接触アーム１１ｃは、基端側が第１保持アーム１１ｂの基端側と連結し、先端側が第１保持アーム１１ｂと略平行に延出している。支持アーム１１ｄは、基端側が第１接触アーム１１ｃの基端側と連結し、先端側が第１接触アーム１１ｃと略平行に延出している。
【００３８】
図１（Ａ）において、支持アーム１１ｄは、カバーハウジング１３の回動軸１３ｓを支持する押さえ部１ｄを先端側に有している。第１接触アーム１１ｃは、ハウジング１０の凹部１４の底面から突出して、第１保持アーム１１ｂの先端部近傍の位置にＦＰＣ（図示せず）と接触する接点１１ｓを有している。
【００３９】
図１（Ａ）において、ハウジング１０は、第１保持アーム１１ｂが挿入される穴１５を有している。そして、穴１５の途中に互いに向かい合う一対の突起１５１・１５２を備えている。一方、第１保持アーム１１ｂの先端部は、相反する向きに形成される一対の窪み１１１・１１２を備えている。ハウジング１０は、プリント基板９の表面に対して揺動可能に第１保持アーム１１ｂの先端部と連結している。
【００４０】
図１（Ｂ）において、第２コンタクト１２は、互いに相反する向きに延びる第２リード部１２ａと第２保持アーム１２ｂを備えている。又、第２コンタクト１２は、第２保持アーム１２ｂと同じ方向に延びる第２接触アーム１２ｃと、第２接触アーム１２ｃの先端から反転して第２リード部１２ａと同じ方向に延びる反転アーム１２ｄを備えている。第２リード部１２ａは、プリント基板９の表面にハンダ接合される板厚面２ａを有している。第２保持アーム１２ｂは、板厚面２ａと略平行に延びて凹部１４の開口側からハウジング１０に挿入される先端部を有している。第２接触アーム１２ｃは、基端側が第２保持アーム１２ｂの基端側と連結し、先端側が第２保持アーム１２ｂと略平行に延出している。反転アーム１２ｄは、基端側が第２接触アーム１２ｃの先端側と連結し、先端側が第２接触アーム１２ｃと略平行に延出している。
【００４１】
図１（Ｂ）において、反転アーム１２ｄは、カバーハウジング１３の回動軸１３ｓを支持する押さえ部２ｄを先端側に有している。第２接触アーム１１ｃは、ハウジング１０の凹部１４の底面から突出して、第２保持アーム１２ｂの先端部近傍の位置にＦＰＣ（図示せず）と接触する接点１２ｓを有している。
【００４２】
図１（Ｂ）において、ハウジング１０は、第２保持アーム１２ｂが挿入される穴１６を有している。そして、穴１６の途中に互いに向かい合う一対の突起１６１・１６２を備えている。一方、第２保持アーム１２ｂの先端部は、相反する向きに形成される一対の窪み１２１・１２２を備えている。ハウジング１０は、プリント基板９の表面に対して揺動可能に第２保持アーム１２ｂの先端部と連結している。
【００４３】
図１において、コネクタ１ｃｎは、複数の第１コンタクト１１及び第２コンタクト１２がハウジング１０に交互に並設配置されるとしたが、コネクタ１ｃｎは、複数の第１コンタクト１１がハウジング１０に並設配置される構成としてもよく、コネクタ１ｃｎは、複数の第２コンタクト１２がハウジング１０に並設配置される構成としてもよい。
【００４４】
次に、第１実施形態によるコネクタの作用を説明する。図１（Ａ）において、第１保持アーム１１ｂが挿入される穴１５は、角穴であって、第１保持アーム１１ｂの板厚より僅かに広い幅を有し、第１保持アーム１１ｂが、穴１５の内部で揺動できるように余裕のある高さを有している。
【００４５】
図１（Ａ）において、一対の突起１５１・１５２は、円弧状に形成され、穴１５に挿入されると、第１保持アーム１１ｂの先端部が一対の突起１５１・１５２を押し広げる。第１保持アーム１１ｂの先端部が一対の突起１５１・１５２を越えると、一対の突起１５１・１５２が一対の窪み１１１・１１２に対向する形で揺動可能に連結する。そして、第１保持アーム１１ｂを有する第１コンタクト１１は、ハウジング１０に対して離間困難に連結している。
【００４６】
図１（Ｂ）において、第２保持アーム１２ｂが挿入される穴１６は、角穴であって、第２保持アーム１２ｂの板厚より僅かに広い幅を有し、第２保持アーム１１ｂが、穴１６の内部で揺動できるように余裕のある高さを有している。一対の突起１６１・１６２は、円弧状に形成され、穴１５に挿入されると、第２保持アーム１２ｂの先端部が一対の突起１６１・１６２を押し広げる。第２保持アーム１２ｂの先端部が一対の突起１６１・１６２を越えると、一対の突起１６１・１６２が一対の窪み１２１・１２２に対向する形で揺動可能に連結する。そして、第２保持アーム１２ｂを有する第２コンタクト１２は、ハウジング１０に対して離間困難に連結している。
【００４７】
図２（Ａ）は、第１保持アーム１１ｂの先端部の揺動中心ｄ１に対して、コネクタ１ｃｎのハウジング１０の一部が反時計方向に捩れている状態を示している。図２（Ａ）に示されるように、コネクタ１ｃｎは、第１保持アーム１１ｂの先端部を揺動中心として、ハウジング１０を揺動可能としているので、ハウジング１０の反りや捩れによる製作誤差を吸収して、複数の第１リード部１１ａのハンダ接合部１ａが平坦に整列される。第１リード部１１ａのハンダ接合強度に影響を及ぼすことを軽減できる。
【００４８】
図２（Ｂ）は、第２保持アーム１２ｂの先端部の揺動中心ｄ２に対して、コネクタ１ｃｎのハウジング１０の一部が時計方向に捩れている状態を示している。図２（Ｂ）に示されるように、コネクタ１ｃｎは、第２保持アーム１２ｂの先端部を揺動中心として、ハウジング１０を揺動可能としているので、ハウジング１０の反りや捩れによる製作誤差を吸収して、複数の第２リード部１２ａのハンダ接合部２ａが平坦に整列される。第２リード部１２ａのハンダ接合強度に影響を及ぼすことを軽減できる。
【００４９】
又、図２において、第１及び第２接触アーム１１ｃ・１２ｃは、ＦＰＣ（図示せず）と接触する接点１１ｓ・１２ｓの位置をそれぞれ第１及び第２保持アーム１１ｂ・１２ｂの先端部近傍とすることにより、ハウジング１０と第１及び第２保持アーム１１ｂ・１２ｂの相対的な揺動に対して、ＦＰＣとの接触性能の影響を軽減できる。
【００５０】
次に、第２実施形態によるコネクタの構成を説明する。図３において、コネクタ２ｃｎは、略直方体状に形成されるハウジング３０を備えている。ハウジング３０は、対向する一対の第１側壁３０ａ・３０ｂと、一対の第１側壁３０ａ・３０ｂと直交する第２側壁３０ｃとで三方が囲まれる凹部３１を有している。コネクタ２ｃｎは、凹部３１の第２側壁３０ｃ側に一対の第１側壁３０ａ・３０ｂと略平行に配列される複数のブレードコンタクト３２を備えている。
【００５１】
図３において、ブレードコンタクト３２は、互いに相反する向きに延びる第３リード部３２ａと第３保持アーム３２ｂを備えている。又、ブレードコンタクト３２は、第３保持アーム３２ｂと同じ方向に延びる略長方形板のコンタクト接続部３２ｃを備えている。第３リード部３２ａは、プリント基板９の表面にハンダ接合される板厚面３ａを有している。第３保持アーム３２ｂは、板厚面３ａと略平行に延びて第２側壁３０ｃ側からハウジング３０に挿入される先端部を有している。コンタクト接続部３２ｃは、基端側が第３保持アーム３２ｂの基端側と連結し、先端側が第３保持アーム３２ｂと略平行に延出している。
【００５２】
図３において、コンタクト接続部３２ｃにおける長手方向の一方の板厚面３ｂは、凹部３１の底面に当接している。コンタクト接続部３２ｃにおける長手方向の他方の板厚面３ｃは、面取りが施されており、例えば二股コンタクトからなる相手側コンタクト（図示せず）の挿入を容易としている。
【００５３】
図３において、ハウジング１０は、第３保持アーム３２ｂが挿入される穴３５を有している。そして、穴３５の途中に互いに向かい合う一対の突起３５１・３５２を備えている。一方、第３保持アーム３２ｂの先端部は、相反する向きに形成される一対の窪み３２１１・３２２を備えている。ハウジング３０は、プリント基板９の表面に対して揺動可能に第３保持アーム３２ｂの先端部と連結している。
【００５４】
次に、第２実施形態によるコネクタの作用を説明する。図３において、第３保持アーム３２ｂが挿入される穴３５は、角穴であって、第３保持アーム３２ｂの板厚より僅かに広い幅を有し、第３保持アーム３２ｂが、穴３５の内部で揺動できるように余裕のある高さを有している。
【００５５】
図３において、一対の突起３５１・３５２は、円弧状に形成され、穴３５に挿入されると、第３保持アーム３２ｂの先端部が一対の突起３５１・３５２を押し広げる。第３保持アーム３２ｂの先端部が一対の突起３５１・３５２を越えると、一対の突起３５１・３５２が一対の窪み３２１・３２２に対向する形で揺動可能に連結する。そして、第３保持アーム３２ｂを有するブレードコンタクト３２は、ハウジング３０に対して離間困難に連結している。
【００５６】
図４は、第３保持アーム３２ｂの先端部の揺動中心ｄ３に対して、コネクタ２ｃｎのハウジング３０の一部が反時計方向に捩れている状態を示している。図４に示されるように、コネクタ２ｃｎは、第３保持アーム３２ｂの先端部を揺動中心として、ハウジング３０を揺動可能としているので、ハウジング３０の反りや捩れによる製作誤差を吸収して、複数の第３リード部３２ａのハンダ接合部３ａが平坦に整列される。第３リード部３２ａのハンダ接合強度に影響を及ぼすことを軽減できる。
【００５７】
図４において、相手側コンタクト（図示せず）は、コンタクト接続部３２ｃの両面を挟むように接触するので、ハウジング３０とブレードコンタクト３２の相対的な揺動に対して、接触性能の影響は少ないと考えられるが、相手側コンタクトの接点は第３保持アーム３２ｂの先端部の近傍とすることが好ましい。
【図面の簡単な説明】
【００５８】
【図１】本発明による表面実装用コネクタの第１実施形態を示す縦断面図である。
【図２】前記第１実施形態による表面実装用コネクタの縦断面による状態変化図である。
【図３】本発明による表面実装用コネクタの第２実施形態を示す縦断面図である。
【図４】前記第２実施形態による表面実装用コネクタの縦断面による状態変化図である。
【図５】特許文献１と同様の構造を有するＦＰＣ用コネクタの縦断面図である。
【図６】特許文献２と同様の構造を有するブレードコンタクトを備えるベースコネクタの縦断面図である。
【図７】図５の右側面図であり、図５に示されたＦＰＣ用コネクタをリード部側から観た図である。
【符号の説明】
【００５９】
１ａ・２ａ・３ａ  板厚面（ハンダ接合部）
９  プリント基板
１０・３０  ハウジング
１１・１２・３２  板状のコンタクト
１１ａ・１２ａ・３２ａ  リード部（第１〜第３リード部）
１１ｂ・１２ｂ・３２ａ  保持アーム（第１〜第３保持アーム）
１ｃｎ・２ｃｎ  表面実装用コネクタ（コネクタ）
【図１】
2007095479.tif 000003
【図２】
2007095479.tif 000004
【図３】
2007095479.tif 000005
【図４】
2007095479.tif 000006
【図５】
2007095479.tif 000007
【図６】
2007095479.tif 000008
【図７】
2007095479.tif 000009